(57)【特許請求の範囲】
【請求項１】
上面、下面及び周面からなる略円板状のヘッダーと、
前記ヘッダー上面に固定されたブリッジワイヤと下面から延ばされた導電ピンと、
前記ヘッダー上面との間に点火薬充填室となる空間が形成されるようにして取り付けられた収容カップと、
前記点火薬充填室に充填された点火薬を有している点火器本体部と、
前記点火器本体部の導電ピンの一部を残して被覆した樹脂部を有している点火器組立体であって、
前記ヘッダーが、
上面側の外径の大きな大径部と、下面側の外径の小さな小径部を有し、さらに前記大径部と前記小径部の外径差から形成される環状段差面を有しているものであり、
前記収容カップが、
底面部と周壁部からなるものであり、
前記周壁部が、内径が均一である本体部と、前記本体部から収容カップの開口部に向かって内径が減少するように延ばされた第１傾斜面部と、前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの底面部及び本体部の一部と前記ヘッダー上面により点火薬充填室が形成され、
前記収容カップの本体部の残部が前記ヘッダー大径部の周面に当接され、
前記環状角部が前記ヘッダー小径部の周面に当接され、少なくとも前記第２傾斜面部が前記ヘッダー周面に当接されていない状態で固定されている、点火器組立体。
【請求項２】
上面、下面及び周面からなる略円板状のヘッダーと、
前記ヘッダー上面に固定されたブリッジワイヤと下面から延ばされた導電ピンと、
前記ヘッダー上面との間に点火薬充填室となる空間が形成されるようにして取り付けられた収容カップと、
前記点火薬充填室に充填された点火薬を有している点火器本体部と、
前記点火器本体部の導電ピンの一部を残して被覆した樹脂部を有している点火器組立体であって、
前記ヘッダーが、
上面側の外径の均一な大径部と、前記大径部から外径が減少するように延ばされた傾斜面部を有しているものであり、
前記収容カップが、
底面部と周壁部からなるものであり、
前記周壁部が、内径が均一である本体部と、前記本体部から内径が減少するように延ばされた第１傾斜面部と、前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの底面部及び本体部の一部と前記ヘッダー上面により点火薬充填室が形成され、
前記収容カップの本体部の残部が前記ヘッダー大径部の周面に当接され、
前記第１傾斜面部が前記ヘッダー傾斜面部に当接され、少なくとも前記第２傾斜面部が前記ヘッダー周面に当接されていない状態で固定されている、点火器組立体。
【請求項３】
上面、下面及び周面からなる略円板状のヘッダーと、
前記ヘッダー上面に固定されたブリッジワイヤと下面から延ばされた導電ピンと、
前記ヘッダー上面との間に点火薬充填室となる空間が形成されるようにして取り付けられた収容カップと、
前記点火薬充填室に充填された点火薬を有している点火器本体部と、
前記点火器本体部の導電ピンの一部を残して被覆した樹脂部を有している点火器組立体であって、
前記ヘッダーが、外径の均一な円板状のものであり、
前記収容カップが、
底面部と周壁部からなるものであり、
前記周壁部が、内径が均一である本体部と、前記本体部から内径が減少するように延ばされた第１傾斜面部と、前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの底面部及び本体部の一部と前記ヘッダー上面により点火薬充填室が形成され、
前記収容カップの本体部の残部が前記ヘッダーの周面に当接されており、
前記第１傾斜面部、前記環状角部及び前記第２傾斜面部が前記ヘッダー周面に当接されていない状態で固定されている、点火器組立体。
【請求項４】
上面、下面及び周面からなる略円板状のヘッダーと、
前記ヘッダー上面に固定されたブリッジワイヤと下面から延ばされた導電ピンと、
前記ヘッダー上面との間に点火薬充填室となる空間が形成されるようにして取り付けられた収容カップと、
前記点火薬充填室に充填された点火薬を有している点火器本体部と、
前記点火器本体部の導電ピンの一部を残して被覆した樹脂部を有している点火器組立体であって、
前記ヘッダーが、
上面側の外径の大きな大径部と、下面側の外径の小さな小径部を有し、さらに前記大径部と前記小径部の外径差から形成される環状段差面を有しているものであり、
前記大径部が上面側から前記環状段差面にかけて外径が増加している大径傾斜面部と、前記大径傾斜面部よりも下面側に形成された均一径の小径部を有し、さらに前記大径傾斜面部と前記小径部との外径差から形成される環状段差面を有しているものであり、
前記収容カップが、底面部と周壁部からなるものであり、
前記周壁部が、
内径が均一である第１本体周壁部及び前記大径傾斜面部に当接された第２本体周壁部と、
前記第２本体周壁部から内径が減少するように延ばされた第１傾斜面部と、
前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの周壁部の底面及び周面の一部と前記ヘッダー上面により点火薬充填室が形成され、
前記収容カップの第２本体周壁部が前記ヘッダーの大径傾斜面部に当接され、
前記収容カップの環状角部が前記ヘッダー小径部の周面に当接され、少なくとも前記第２傾斜面部が前記ヘッダー周面に当接されていない状態で固定されている、点火器組立体。
【請求項５】
前記第１傾斜面部の長さ（Ｌ１）と前記第２傾斜面部の長さ（Ｌ２）が、Ｌ１＜Ｌ２の関係を満たしている、請求項１〜４のいずれか１項記載の点火器組立体。
【請求項６】
上面、下面及び周面からなる略円板状のヘッダーと、
前記ヘッダー上面に固定されたブリッジワイヤと下面から延ばされた導電ピンと、
前記ヘッダー上面との間に点火薬充填室となる空間が形成されるようにして取り付けられた収容カップと、
前記点火薬充填室に充填された点火薬を有している点火器本体部と、
前記点火器本体部の導電ピンの一部を残して被覆した樹脂部を有している点火器組立体であって、
前記ヘッダーが、
上面側の外径の大きな大径部と、下面側の外径の小さな小径部を有し、さらに前記大径部と前記小径部の外径差から形成される環状段差面を有しているものであり、
前記収容カップが、
底面部と周壁部からなるものであり、
前記周壁部が、外側周壁部と、開口部側が内側に折り曲げられた内側周壁部を有しており、
前記内側周壁部の内径が前記外側周壁部の内径よりも小さいものであり、
前記収容カップと前記ヘッダーが、
互いに溶接されることなく固定されており、
前記収容カップの底面部及び外側周壁部の一部と前記ヘッダー上面により点火薬充填室が形成され、
前記収容カップの外側周壁部の残部が前記ヘッダー大径部の周面に当接され、
前記内側周壁部が前記ヘッダー小径部の周面に当接され、かつ前記内側周壁部の開口部周縁が前記環状段差面に当接されている、点火器組立体。
【請求項７】
前記樹脂部が、前記収容カップの底面部の一部又は全部を被覆していない、請求項１〜６のいずれか１項記載の点火器組立体。
【請求項８】
請求項１〜５のいずれか１項記載の点火器組立体の製造方法であって、
点火薬が充填された収容カップとブリッジワイヤと導電ピンを備えたヘッダーを組み合わせる工程と、
その後、少なくとも導電ピンの一部が露出されるように樹脂を射出成形して樹脂部を形成する工程を有しており、
前記収容カップと前記ヘッダーを組み合わせる工程において、
前記収容カップとして、底面部と周壁部を有しており、前記周壁部が、外径が均一な本体周壁部と、本体周壁部から外径が拡大するように延ばされた第２傾斜面部を有しているものを使用し、
前記射出成形して樹脂部を形成する工程において、収容カップの底面部側から、かつ中心軸に対して斜め方向から前記第２傾斜面部に対して樹脂を射出することで、本体周壁部を外径が減少するように変形させて第１傾斜面部および環状角部を形成する、点火器組立体の製造方法。
【発明の詳細な説明】
【技術分野】
【０００１】
本発明は、車両のエアバッグシステムなど人員拘束装置用のガス発生器やアクチュエータ等に使用される点火器組立体と、その製造方法に関する。
【背景技術】
【０００２】
点火器組立体は、ガス発生器やアクチュエータを作動させるためには必須の構成部品であり、特に電流によってブリッジワイヤを赤熱させることで、当該ブリッジワイヤに接触した点火薬を燃焼させるタイプの点火器は広く使用されている。このような点火器組立体は、ガス発生器やアクチュエータ等のシステムに使用されており、複数の点火器組立体が使用される場合もある。
【０００３】
従って、ガス発生器やアクチュエータに占める点火器組立体のコストを低く抑えるほうが好ましく、あわせて構造を簡略化して製造しやすいものにすることが好ましい。さらに確実に着火するために、点火薬が気密に維持されている必要がある。
【０００４】
特許文献１は、外径が均一寸法のベース体８に対して電極ピン６が取り付けられ、さらにベース体８の上からキャップ４が被せられた点火装置１を開示している。キャップ４は一端が閉塞し、他端が開口した収容カップ形状であり、閉塞側に火薬５が充填されている。また開口側には拡径した部分４７が形成されており、拡径部分４７を含め、ベース体８、導電ピン６がケーシング２２で覆われている。
【０００５】
特許文献１のイニシエータ１は、ベース体８に対してキャップ４を溶接などの方法で固定することが記載されており（００５８段落参照）、溶接工程が含まれる分、工数が多くなる。また、溶接を行うときに溶接熱が点火薬に伝熱することで火薬が誤着火しないように、溶接の条件や溶接箇所、部品の構造などが制約を受ける。
【先行技術文献】
【特許文献】
【０００６】
【特許文献１】米国公開公報２０１０／００６４９２３
【発明の概要】
【発明が解決しようとする課題】
【０００７】
本発明は、溶接が不要で製造が簡単な点火器組立体と、その製造方法を提供することを課題とする。
【課題を解決するための手段】
【０００８】
＜点火器組立体＞
請求項１の発明は、課題の解決手段として、
上面、下面及び周面からなる略円板状のヘッダーと、
前記ヘッダー上面に固定されたブリッジワイヤと下面から延ばされた導電ピンと、
前記ヘッダー上面との間に点火薬充填室となる空間が形成されるようにして取り付けられた収容カップと、
前記点火薬充填室に充填された点火薬を有している点火器本体部と、
前記点火器本体部の導電ピンの一部を残して被覆した樹脂部を有している点火器組立体であって、
前記ヘッダーが、
上面側の外径の大きな大径部と、下面側の外径の小さな小径部を有し、さらに前記大径部と前記小径部の外径差から形成される環状段差面を有しているものであり、
前記収容カップが、
底面部と周壁部からなるものであり、
前記周壁部が、内径が均一である本体部と、前記本体部から収容カップの開口部に向かって内径が減少するように延ばされた第１傾斜面部と、前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの底面部及び本体部の一部と前記ヘッダー上面により点火薬充填室が形成され、
前記収容カップの本体部の残部が前記ヘッダー大径部の周面に当接され、
前記環状角部が前記ヘッダー小径部の周面に当接され、少なくとも前記第２傾斜面部が前記ヘッダー周面に当接されていない状態で固定されている、点火器組立体を提供する。
【０００９】
点火器組立体は、正常に作動させる観点から、点火薬とブリッジワイヤが密着されていること、点火器が外部から侵入する湿気による影響を受けないようにすること、作動時の圧力によって収容カップが脱落しないようにすることが必要となる。
このため、収容カップとヘッダーの接合強度が大きなことが必要となることから、従来は特許文献１のように収容カップがヘッダーに対して溶接固定されていた。
しかし、溶接をすることでその熱により点火薬が誤着火することも考えられるほか、工数を増加させるという問題もある。
【００１０】
本発明の点火器組立体は、ヘッダーの形状と収容カップの形状を関連づけることによって、溶接工程を不要にした上で、点火器組立体を正常に作動させることができるようにしたものである。
【００１１】
ヘッダーは、上面側の外径の大きな大径部と、下面側の外径の小さな小径部を有し、さらに前記大径部と前記小径部の外径差から形成される環状段差面を有している。
大径部と小径部の外径の差（環状段差面の幅）は、0.3mm〜1mmが好ましく、より好ましくは0.4mm〜1mmである。
ヘッダーは公知のステンレス等の金属からなるものを使用することができるが、本発明では収容カップと溶接しないため、非金属製（例えばセラミックス）からなるものでもよい。
【００１２】
収容カップは、底面部と周壁部からなるものである。
周壁部は、内径が均一である本体部と、本体部から内径が減少するように延ばされた第１傾斜面部と、第１傾斜面部から内径が増加するように延ばされた第２傾斜面部を有している。さらに第１傾斜面部と第２傾斜面部との境界部分が環状角部となり、収容カップをヘッダーに取り付けたときに、この環状角部の内径が本体部の内径よりも小さく、収容カップで最小内径になっている。
ここで第１傾斜面部の長さ（Ｌ１）と第２傾斜面部の長さ（Ｌ２）は、作動時における収容カップの脱落防止作用を高めるため、Ｌ１＜Ｌ２の関係を満たしていることが好ましい。Ｌ２／Ｌ１は１．２〜２が好ましく、１．３〜１．８がより好ましい。
収容カップはステンレス製等の金属からなるものを使用することができ、厚さは０．１８〜０．２２mm程度であればよい。
【００１３】
収容カップとヘッダーは、収容カップの周壁部がヘッダー大径部の周面に当接され、環状角部がヘッダー小径部の周面に当接されている。このとき、第１傾斜面部、第２傾斜面部、ヘッダーの下面は、樹脂で被覆された状態となっているため、外側から押圧され、収容カップがヘッダー周面に圧着された状態になっている。
収容カップの第２傾斜面部はヘッダーの周面には当接されていない。収容カップの第１傾斜面部は、小径部の周面に対して当接されている部分と当接されていない部分があってもよい。
このように収容カップとヘッダーが互いに当接（密着状態にある）されており、さらに樹脂部で覆われていることから、点火薬充填室が気密状態に維持される。
【００１４】
収容カップの周壁部の本体部は内径が均一なものであり、ヘッダーの大径部に当接されているから、本体部内径（Ｄ１）はヘッダー大径部の外径と実質的に同一である。
収容カップの環状角部は、ヘッダー小径部の周面に当接されているから、環状角部の内径（Ｄ２）は、ヘッダー大径部の外径よりも小さく、かつ収容カップがヘッダーに取り付けられた状態ではヘッダー小径部の外径と実質的に同一である。
本体部内径（Ｄ１）と環状角部の内径（Ｄ２）は、Ｄ２＜Ｄ１の関係を満たしており、この関係を満たした状態で樹脂部により覆われている。
【００１５】
請求項１の点火器組立体の作動時に点火薬が着火燃焼されると、収容カップ底面部が破壊され、収容カップを脱落させる方向（長軸Ｘ、中心軸に沿った方向）への力が加えられる。
しかし、請求項１の点火器組立体では、Ｄ２＜Ｄ１であり、収容カップの第２傾斜面部が樹脂から圧力を受けるなどして、環状段差面と収容カップの周壁部とが強く当接した状態であり、収容カップの底面において長軸方向に荷重がかかったとしても、環状角部がヘッダーの環状段差面に引っかかること、及び第２傾斜面部が樹脂部に固定された状態が維持され、第２傾斜面部が外側に広がるのを抑制していることにより、収容カップの脱落防止作用が発揮される。
【００１６】
請求項２の発明は、
前記ヘッダーが、
上面側の外径の均一な大径部と、前記大径部から外径が減少するように延ばされた傾斜面部を有しているものであり、
前記収容カップが、
底面部と周壁部からなるものであり、
前記周壁部が、内径が均一である本体部と、前記本体部から内径が減少するように延ばされた第１傾斜面部と、前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの底面部及び本体部の一部と前記ヘッダー上面により点火薬充填室が形成され、
前記収容カップの本体部の残部が前記ヘッダー大径部の周面に当接され、
前記第１傾斜面部が前記ヘッダー傾斜面部に当接され、少なくとも前記第２傾斜面部が前記ヘッダー周面に当接されていない状態で固定されており、請求項１記載の点火器組立体を提供する。
上記点火器組立体では、第１傾斜面部の長さ（Ｌ１）と第２傾斜面部の長さ（Ｌ２）は、作動時における収容カップの脱落防止作用を高めるため、Ｌ１＜Ｌ２の関係を満たしていることが好ましい。Ｌ２／Ｌ１は１．２〜２が好ましく、１．３〜１．８がより好ましい。
【００１７】
請求項２の点火器組立体は、上記の請求項１の発明の点火器組立体とは同じ形状の収容カップを使用するが、ヘッダーの形状が異なるものである。
請求項２の点火器組立体のヘッダーは、上面側の外径の均一な大径部と、前記大径部から下面にかけて外径が減少するように延ばされた傾斜面部を有しているものである。
請求項２の点火器組立体は、収容カップの周壁部と第１傾斜面部がヘッダーの傾斜面部に当接されており、第２傾斜面部はヘッダーの傾斜面部には当接されていない。環状角部は傾斜面部に当接されていてもよいし、当接されていなくてもよい。
請求項２の点火器組立体は、上記の請求項１の発明の点火器組立体と同様に収容カップとヘッダーが互いに当接（密着状態にある）され、さらに樹脂部で覆われていることから、点火薬充填室が気密状態に維持される。
【００１８】
請求項２の点火器組立体の作動時に点火薬が着火燃焼されると、収容カップ底面部が破壊され、収容カップを脱落させる方向（長軸Ｘ、中心軸に沿った方向）への力が加えられる。
しかし、請求項２の点火器組立体では、Ｄ２＜Ｄ１の関係を満たしていること、ヘッダーの大径部と傾斜面部との境界部が収容カップの周壁部と強く当接した状態であり、収容カップの第１傾斜面部がヘッダー傾斜面部に当接されている（密着されている）こと、及び第２傾斜面部が樹脂部に固定された状態が維持され、第２傾斜面部が外側に変形しにくく、収容カップの脱落防止作用が発揮される。なお、請求項１の発明と同等、収容カップの底面部の厚みや脆弱部を形成してもよい。
【００１９】
請求項３の発明は、
前記ヘッダーが、外径の均一な円板状のものであり、
前記収容カップが、
底面部と周壁部からなるものであり、
前記周壁部が、内径が均一である本体部と、前記本体部から内径が減少するように延ばされた第１傾斜面部と、前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの底面部及び本体部の一部と前記ヘッダー上面により点火薬充填室が形成され、
前記収容カップの本体部の残部が前記ヘッダー大径部の周面に当接されており、
前記第１傾斜面部、前記環状角部及び前記第２傾斜面部が前記ヘッダー周面に当接されていない状態で固定されている、請求項１記載の点火器組立体を提供する。
ヘッダーはステンレス等の金属や非金属からなり、その形状が請求項１や２で述べたものと異なっているが、収容カップは請求項１や請求項２の発明で述べたものと同じ形状や仕様のものを用いることができる。
上記点火器組立体では、第１傾斜面部の長さ（Ｌ１）と第２傾斜面部の長さ（Ｌ２）は、作動時における収容カップの脱落防止作用を高めるため、Ｌ１＜Ｌ２の関係を満たしていることが好ましい。Ｌ２／Ｌ１は１．２〜２が好ましく、１．３〜１．８がより好ましい。
【００２０】
請求項３の点火器組立体のヘッダーは、外径の均一な円板状のものである。
請求項３の点火器組立体と請求項１の点火器組立体が同じ大きさであるとき、請求項３のヘッダーの厚みは、請求項１のヘッダーの厚みに対して小さくなっている。
請求項３の点火器組立体は、収容カップの周壁部（本体部の一部）のみがヘッダーに当接されており、第１傾斜面部、環状角部及び第２傾斜面部はヘッダーには当接されず、ヘッダーの下面から突出している。
請求項３の点火器組立体においても、上記の請求項１の発明の点火器組立体と同様に収容カップとヘッダーが互いに当接（密着状態にある）され、さらに樹脂部で覆われていることから、点火薬充填室が気密状態に維持される。
【００２１】
請求項３の点火器組立体の作動時に点火薬が着火燃焼されると、収容カップ底面部が破壊され、収容カップを脱落させる方向（長軸Ｘ、中心軸に沿った方向）への力が加えられる。
しかし、請求項３の点火器組立体では、Ｄ２＜Ｄ１の関係を満たしていること、収容カップの第２傾斜面部が樹脂から圧力を受けるなどして、収容カップの周壁部と第１傾斜面部との境界部がヘッダー下面の周縁に強く当接した状態であり、収容カップの底面において長軸方向に荷重がかかったとしても、収容カップの環状角部がヘッダー下面に引っかかること、及び第２傾斜面部が樹脂部に固定された状態が維持されることにより、収容カップの脱落防止作用が発揮される。
【００２２】
請求項４の発明は、
前記ヘッダーが、
前記大径部が上面側から前記環状段差面にかけて外径が増加している大径傾斜面部であり、前記大径傾斜面部よりも下面側に形成された均一径の小径部を有し、さらに前記大径傾斜面部と前記小径部との外径差から形成される環状段差面を有しているものであり、
前記収容カップが、底面部と周壁部からなるものであり、
前記周壁部が、
内径が均一である第１本体周壁部及び前記大径傾斜面部に当接された第２本体周壁部と、
前記第２本体周壁部から内径が減少するように延ばされた第１傾斜面部と、
前記第１傾斜面部から内径が増加するように延ばされた第２傾斜面部を有し、前記第２傾斜面部が開口部を形成しており、
前記第１傾斜面部と前記第２傾斜面部との境界部分が環状角部となっており、前記環状角部の内径が前記収容カップの最小内径部分となるものであり、
前記収容カップと前記ヘッダーが、
互いに溶接されることなく固定されており、
前記収容カップの周壁部の底面及び周面の一部と前記ヘッダー上面により点火薬充填室が形成され、
前記収容カップの第２本体周壁部が前記ヘッダーの大径傾斜面部に当接され、
前記収容カップの環状角部が前記ヘッダー小径部の周面に当接され、少なくとも前記第２傾斜面部が前記ヘッダー周面に当接されていない状態で固定されている、請求項１記載の点火器組立体を提供する。
上記点火器組立体では、収容カップの第１傾斜面部の長さ（Ｌ１）と第２傾斜面部の長さ（Ｌ２）は、作動時における収容カップの脱落防止作用を高めるため、Ｌ１＜Ｌ２の関係を満たしていることが好ましい。Ｌ２／Ｌ１は１．２〜２が好ましく、１．３〜１．８がより好ましい。
【００２３】
請求項４の点火器組立体は、上記の請求項１の発明の点火器組立体とは、ヘッダーの形状が異なり、それに応じて収容カップの形状も異なるものである。
請求項４の点火器組立体のヘッダーは、上面側から環状段差面にかけて外径が増加している大径傾斜面部と、環状段差面から下面側の外径が小さく均一径の小径部を有しているものである。
請求項４の点火器組立体は、収容カップの第２本体周壁部と環状角部がヘッダーに当接されており、少なくとも第２傾斜面部はヘッダーには当接されていない。
請求項４の点火器組立体は、上記の請求項１の発明の点火器組立体と同様に収容カップとヘッダーが互いに当接（密着状態にある）され、さらに樹脂部で覆われていることから、点火薬充填室が気密状態に維持される。
【００２４】
請求項４の点火器組立体の作動時に点火薬が着火燃焼されると、収容カップ底面部が破壊され、収容カップを脱落させる方向（長軸Ｘ，中心軸に沿った方向）への力が加えられる。
しかし、請求項４の点火器組立体では、Ｄ２＜Ｄ１の関係を満たしていること、環状段差面が収容カップの周壁部と強く当接した状態であり、収容カップの環状角部がヘッダー環状段差面に引っかかること、第２傾斜面部が樹脂部に固定された状態が維持されることにより、収容カップの脱落防止作用が発揮される。
【００２５】
請求項６の発明は、
上面、下面及び周面からなる略円板状のヘッダーと、
前記ヘッダー上面に固定されたブリッジワイヤと下面から延ばされた導電ピンと、
前記ヘッダー上面との間に点火薬充填室となる空間が形成されるようにして取り付けられた収容カップと、
前記点火薬充填室に充填された点火薬を有している点火器本体部と、
前記点火器本体部の導電ピンの一部を残して被覆した樹脂部を有している点火器組立体であって、
前記ヘッダーが、
上面側の外径の大きな大径部と、下面側の外径の小さな小径部を有し、さらに前記大径部と前記小径部の外径差から形成される環状段差面を有しているものであり、
前記収容カップが、
底面部と周壁部からなるものであり、
前記周壁部が、外側周壁部と、開口部側が内側に折り曲げられた内側周壁部を有しており、
前記内側周壁部の内径が前記外側周壁部の内径よりも小さいものであり、
前記収容カップと前記ヘッダーが、
互いに溶接されることなく固定されており、
前記収容カップの底面部及び外側周壁部の一部と前記ヘッダー上面により点火薬充填室が形成され、
前記収容カップの外側周壁部の残部が前記ヘッダー大径部の周面に当接され、
前記内側周壁部が前記ヘッダー小径部の周面に当接され、かつ前記内側周壁部の開口部周縁が前記環状段差面に当接されている、点火器組立体を提供する。
【００２６】
請求項６の点火器組立体は、上記の請求項１の発明の点火器組立体とは同じ形状のヘッダーを使用するが、収容カップの形状が異なるものである。
請求項６の点火器組立体の収容カップは、底面部と周壁部からなるものであり、周壁部が、外側周壁部と、開口部側が内側に折り曲げられた内側周壁部を有しているものである。
請求項６の点火器組立体は、収容カップの外側周壁部の一部と内側周壁部の全部がヘッダーに当接されている。
請求項６の点火器組立体は、上記の請求項１の発明の点火器組立体と同様に収容カップとヘッダーが互いに当接（密着状態にある）され、また樹脂部で覆われていてもよく、点火薬充填室が気密状態に維持される。内側周壁部の内径は、外側周壁部の内径より小さい。好ましくは収容カップは弾性を有し、ヘッダーに取り付ける前の状態では、内側周壁部の内径は、ヘッダーの小径部の外径よりも小さいものである。
【００２７】
本発明の点火器組立体の作動時に点火薬が着火燃焼されると、収容カップ底面部とそれを被覆する樹脂部が破壊され、収容カップを脱落させるような長軸方向への力が加えられる。
しかし、本発明の点火器組立体では、収容カップの内側周壁部の開口部周縁が環状段差面に当接されていることから脱落防止作用が発揮される。
【００２８】
＜点火器組立体の製造方法＞
請求項８の発明は、
請求項１〜５のいずれか１項記載の点火器組立体の製造方法であって、
点火薬が充填された収容カップとブリッジワイヤと導電ピンを備えたヘッダーを組み合わせる工程と、
その後、少なくとも導電ピンの一部が露出されるように樹脂を射出成形して樹脂部を形成する工程を有しており、
前記収容カップと前記ヘッダーを組み合わせる工程において、
前記収容カップとして、底面部と周壁部を有しており、前記周壁部が、外径が均一な本体周壁部と、本体周壁部から外径が拡大するように延ばされた第２傾斜面部を有しているものを使用し、
前記射出成形して樹脂部を形成する工程において、収容カップの底面部側から、かつ中心軸に対して斜め方向から前記第２傾斜面部に対して樹脂を射出することで、本体周壁部を内径が減少するように変形させて第１傾斜面部および環状角部を形成する、点火器組立体の製造方法を提供する。
【００２９】
従来、点火器組立体の製造においては、溶接工程を経て製造された点火器本体部に対して、樹脂を射出成形して樹脂部を形成して製造する方法が一般に実施されている。
本発明の製造方法は、ヘッダーの形状と収容カップの形状を関連づけることで、ヘッダーと収容カップの溶接を不要にすることができたものである。
本発明の製造方法で使用する収容カップは、底面部と周壁部を有しており、前記周壁部が、内径が均一な本体周壁部と、本体周壁部から内径が拡大するように延ばされた第２傾斜面部を有しているものである。
ここで収容カップの第２傾斜面部は、上記の請求項１〜４の点火器組立体の第２傾斜面部となるものであり、樹脂を射出成形する前においては、上記の請求項１〜４の点火器組立体における第１傾斜面部は収容カップには形成されていない。
【００３０】
樹脂部がなく収容カップの第１傾斜面部が形成される前の点火器組立体においては、収容カップの周壁部の点火薬充填室を形成していない部分（環状角部となる部分も含む）は、ヘッダーには接触していない。
この状態において、点火器組立体の収容カップの底面部側から、かつ中心軸に対して斜め方向から、第２傾斜面部に対して樹脂を射出することで、射出圧力を受けた収容カップの周壁部が途中から折れ曲がって第１傾斜面部及び環状角部が形成される。
【００３１】
樹脂の射出方法は、射出圧は約１０〜２０ＭＰａが好ましい。
樹脂は、例えば、特開２００４−２９３８３５号公報、特開２００６−２３４３６９号公報、特開２００７−１３２５３１号公報、特開２００７−２２５１６０号公報に記載されているものを使用することができる。
【発明の効果】
【００３２】
本発明の点火器組立体は、従来品と同等以上の品質を維持した上で、収容カップとヘッダーが溶接しないで固定されている。このため工数が減少され、さらに溶接により点火薬が誤着火することもない。
【図面の簡単な説明】
【００３３】
【図１】（ａ）は本発明の点火器組立体の軸方向断面図、（ｂ）は（ａ）の点火器組立体で使用している収容カップの断面図。
【図２】本発明の点火器組立体の別実施形態の軸方向断面図。
【図３】本発明の点火器組立体のさらに別実施形態の軸方向断面図。
【図４】本発明の点火器組立体のさらに別実施形態の軸方向断面図。
【図５】本発明の点火器組立体のさらに別実施形態の軸方向断面図。
【図６】本発明の点火器組立体の製造方法の説明図。
【図７】（ａ）は本発明の点火器組立体のさらに別実施形態の斜視図、（ｂ）、（ｃ）は平面図。
【発明を実施するための形態】
【００３４】
（１）図１の点火器組立体とその製造方法
＜図１の点火器組立体＞
点火器組立体１は、点火器本体部（点火器組立体１から樹脂部３５を除いた部分）と樹脂部３５からなるものであり、点火器本体部は、導電ピン５の一部を除いた部分が樹脂部３５で覆われている。
【００３５】
点火器本体部のヘッダー１０は、上面１１、下面１２及び周面１３からなる略円板状のものである。
周面１３は、上面１１側の外径の大きな大径部１４と、下面１２側の外径の小さな小径部１５を有している。
さらに大径部１４と小径部１５の外径差から形成される環状段差面１６を有している。
【００３６】
ヘッダー１０には、アースピン５ａとセンターピン５ｂからなる導電ピン５が取り付けられている。
アースピン５ａは、ヘッダー１０の下面１２に直接接続されており、センターピン５ｂは、絶縁体６で包囲された状態でヘッダー１０の孔に嵌め込まれている。
ヘッダーの上面１１とセンターピン５ｂの上端部にかけて、ブリッジワイヤ７が架橋されている。
ヘッダー１０、導電ピン５、およびブリッジワイヤ７の取り付けは、図１に限定されるものではなく、たとえば米国特許第６，８７４，４２３号の図１に示すように２つの導電ピンがヘッダーの中心部から偏芯したもの、あるいは米国特許第６，７５５，６７０号の図２に示すように、２つの導電ピンがともにヘッダーに形成された中央孔を貫通するものであってもよい。
【００３７】
ヘッダー１０には、ステンレス製の収容カップ２０が取り付けられている。
収容カップ２０は、底面部２１と周壁部２２からなるものである。
底面部２１の厚みは０．２〜０．３５ｍｍの範囲、周壁部２２の厚みは０．１５〜０．２５ｍｍの範囲で調整されている。
底面部２１の中央部には、厚みが０．０５〜０．１１ｍｍ程度の円形薄肉部が形成され、この部分が脆弱部となる。
【００３８】
周壁部２２は、外径が均一である本体部２３と、本体部２３から外径が減少するように延ばされた第１傾斜面部２４と、第１傾斜面部２４から外径が増加するように延ばされた第２傾斜面部２５を有している。
第１傾斜面部２４と第２傾斜面部２５との境界部分が環状角部２６となっている。
第２傾斜面部２５において開口部２７が形成されている。
第１傾斜面部２４の長さ（Ｌ１）と第２傾斜面部２５の長さ（Ｌ２）は、Ｌ２＞Ｌ１であり、Ｌ２／Ｌ１＝１．５に調整されている。
【００３９】
収容カップ２０とヘッダー１０は、互いに溶接されることなく固定されている。
収容カップの底面部２１及び周壁部２２の一部とヘッダー上面１１により点火薬充填室３０が形成されており、内部には点火薬（図示せず）が充填されている。点火薬とブリッジワイヤ７は密着状態にある。
収容カップの周壁部２２の残部は、ヘッダー大径部１４の周面１４ａに当接されている。
収容カップの環状角部２６は、ヘッダー小径部１５の周面１５ａに当接されている。
収容カップの第１傾斜面部２４と第２傾斜面部２５は、ヘッダー１０には当接されていないが、第１傾斜面部２４は一部が小径部１５の周面１５ａ及び環状段差面１６に当接されていてもよい。
また収容カップ２０は環状角部２６が小径部１５に嵌り込んだ状態では、収容カップ２０の周壁部２２が環状段差面１６に強く当接されるようになっている。この作用を高めるため、収容カップ２０は弾性を有するものを使用することが好ましい。
収容カップ周壁部の本体部２３の内径（Ｄ１）と、環状角部２６の内径（Ｄ２）と、収容カップ開口部の内径（Ｄ３）は、Ｄ２＜Ｄ１＜Ｄ３の関係を満たしている。
【００４０】
点火器本体部は、導電ピン５の一部を除いた部分が樹脂部３５で覆われているため、収容カップ２０とヘッダー１０との全ての当接部分は、外側から樹脂で押圧されて密着された状態になっている。
このため、点火薬充填室３０が気密状態に維持されることから、点火薬が湿気による悪影響を受けることがない。
収容カップ２０として弾性を有しているものを使用すると、収容カップ２０をヘッダー１０に取り付けたときに、環状角部２６がヘッダー１０の小径部１５を押しつけるように働く。そして第１傾斜面部２４、第２傾斜面部２５、およびヘッダー１０の下面１２にかけての範囲が樹脂部３５で被覆された状態となっている。このため、これらが外側から押圧され、収容カップ２０の周壁部２２とヘッダー１０の周面１３が圧着された状態になっている。
よって、収容カップ２０がヘッダー１０に対して強く固定されており、点火器組立体１が作動しても収容カップ２０がヘッダー１０から外れにくくなる。
【００４１】
次に、図１の点火器組立体の動作を説明する。
作動時、通電によりブリッジワイヤ７が熱を帯び、点火薬が着火される。
点火薬の着火により生じた燃焼生成物により収容カップ２０の底面部２１（脆弱部があるときは脆弱部を含む部分）が破壊され、火炎等の燃焼生成物を放出する。このとき、底面部２１とそれに近接した本体部２３も破壊されることもある。
そして、収容カップ２０の底面部２１には、中心軸Ｘ方向への力が加えられることになる。ヘッダー１０と収容カップ２０は互いに溶接固定されていないが、図１の点火器組立体１では、収容カップ２０とヘッダー１０が密接状態にあり、Ｄ２＜Ｄ１の関係を満たしていることから、また周囲が樹脂部３５で覆われており、第２傾斜面部２５が外側に変形しにくいため、収容カップ２０が中心軸Ｘ方向に脱落することが防止されている。
【００４２】
より具体的には、収容カップ２０が中心軸Ｘ方向に移動しようとした場合であっても、環状角部２６が環状段差面１６にひっかかることに加えて、第２傾斜面部２５を外側から覆う樹脂部３５は破壊乃至は溶融されることがなく、第２傾斜面部が外側へ変形するのを抑制している。
よって、第２傾斜面部２５自体が樹脂部３５で保持されていることによる脱落防止効果により、収容カップ２０が中心軸Ｘ方向に脱落することが防止される。
そして、Ｌ２＞Ｌ１の関係を満たせば、さらにヘッダー１０が収容カップ２０から抜ける力に対して、樹脂部３５によって第２傾斜面部２５の変形を抑制する力のほうが大きくなり、第２傾斜面部２５による脱落防止効果が高められるので好ましい。
【００４３】
＜図１の点火器組立体の製造方法＞
次に、図６により図１の点火器組立体の製造方法を説明する。
投薬工程では、図６（ａ）に示すように収容カップ２０内に点火薬を充填する。
収容カップ２０は、底面部２１と周壁部２２を有しており、周壁部２２が、外径及び内径が均一な本体周壁部２３と、本体周壁部２３から外径及び内径が拡大するように延ばされた第２傾斜面部２５を有しているものを使用する。
この工程では、図１（ａ）、（ｂ）の収容カップ２０の第１傾斜面部２４に相当するものは形成されていない。
【００４４】
ヘッダーの仮圧入工程では、図６（ｂ）、（ｃ）に示すように点火薬が充填された収容カップ２０内にヘッダー（導電ピン、ブリッジワイヤが取り付けられているもの）１０を圧入して、点火器本体部を製造する。
このとき、第２傾斜面部２５がガイド部材の作用をするため、圧入が容易になる。
なお、収容カップ２０の本体周壁部２３の内径は、前記のように圧入できるようにするため、ヘッダー１０の大径部１４の外径よりも僅かに小さくなるように調整されている。
【００４５】
モールド工程では、図６（ｄ）に示すように点火器本体部に対して樹脂を射出成形する。
このとき、収容カップの底面部２１側から、かつ中心軸Ｘに対して斜め方向から樹脂を射出する。
このとき、第２傾斜面部２５に対して垂直方向から樹脂を射出することが好ましい。
樹脂の射出方向は、点火器本体部の底面側から、かつ中心軸に対して３０〜４５°の方向が好ましい。
樹脂の射出圧は約１０〜２０ＭＰａであり、例えば１５ＭＰａで射出する。
このときの射出圧力によって、図６（ｅ）に示すように本体周壁部２３が環状段差面１６の当接部分から折り曲げられて第１傾斜面部２４が形成される。
樹脂の射出後、樹脂が硬化するまでの間、図６（ｅ）に示すように射出圧と同じ圧力を維持して（保圧工程）、硬化後に成形金型から取り出す。
なお、図６（ｄ）で樹脂を射出する前において、機械的手段により本体周壁部２３を変形させて第１傾斜面部２４又はそれに近似するものを形成する工程を付加することもできる。
【００４６】
本発明の製造方法により製造された点火器組立体１は、ヘッダー１０を覆った収容カップ２０が樹脂部３５で外側から押圧された状態で覆われている。このため、収容カップ２０はヘッダー１０に対して密着されている。
そして、本発明の製造方法により製造された点火器組立体１は、ヘッダー１０、収容カップ２０及び樹脂部３５の組み合わせによって、ヘッダー１０と収容カップ２０は強固に結合されている。
点火薬充填室３０も中心軸Ｘ方向に押圧されるため、点火薬３１とブリッジワイヤ７との圧接状態も維持される。
さらに溶接が不要になることから、溶接熱による点火薬の誤着火が防止される。
【００４７】
（２）図２の点火器組立体
図２の点火器組立体１００は、図１の点火器組立体１とはヘッダーの形状が異なっているほかは同じものであり、収容カップ２０は図１のものと同じものを使用している。
【００４８】
ヘッダー１１０は、上面１１１、下面１１２及び周面１１３からなる略円板状のものである。
上面１１１側の外径の均一な大径部１１４と、大径部１１４から外径が下面１１２に向かって減少するように延ばされた傾斜面部１１５を有している。
【００４９】
収容カップ２０とヘッダー１１０は、互いに溶接されることなく固定されている。
収容カップの底面部２１及び周壁部２２（本体部２３）の一部とヘッダー上面１１１により点火薬充填室３０が形成されており、内部には点火薬（図示せず）が充填されている。点火薬とブリッジワイヤ７は密着状態にある。
収容カップの本体部２３の残部は、大径部１１４の周面１１４ａに当接されている。
収容カップの第１傾斜面部２４は、傾斜面部１１５の周面１１５ａに当接されている。
収容カップの第２傾斜面部２５は、ヘッダー１１０には当接されていない。
収容カップ周壁部の本体部２３の内径（Ｄ１）と、環状角部２６の内径（Ｄ２）と、収容カップ開口部の内径（Ｄ３）は、Ｄ２＜Ｄ１＜Ｄ３の関係を満たしている。
第１傾斜面部２４の長さ（Ｌ１）と第２傾斜面部２５の長さ（Ｌ２）は、Ｌ２＞Ｌ１であり、Ｌ２／Ｌ１＝約１．５に調整されている。
【００５０】
点火器本体部は、導電ピン５の一部を除いた部分が樹脂部３５で覆われているため、収容カップ２０とヘッダー１１０との当接部分は、外側から押圧されて密着された状態になっている。
このため、点火薬充填室３０が気密状態に維持されることから、点火薬が湿気による悪影響を受けることがない。
【００５１】
作動時、通電によりブリッジワイヤ７が熱を帯び、点火薬が着火される。
点火薬の着火により生じた燃焼生成物により収容カップ部材２０の底面部２１（脆弱部があるときは脆弱部を含む部分）が破壊され、火炎等の燃焼生成物を放出する。このとき、底面部２１とそれに近接した本体部２３も破壊されることもある。
そして、収容カップ部２０の底面部２１には、中心軸Ｘ方向への力が加えられる。ヘッダー１１０と収容カップ２０は互いに溶接固定されていないが、図２の点火器組立体１００では、収容カップ２０とヘッダー１１０が密接状態にあり、Ｄ２＜Ｄ１の関係を満たしていることから、また周囲が樹脂部３５で覆われており、第２傾斜面部２５が外側に変形しにくいため、収容カップ２０が中心軸Ｘ方向に脱落することが防止されている。
【００５２】
より具体的には、収容カップ２０が中心軸Ｘ方向に移動しようとした場合であっても、本体部２３の残部が大径部の周面１１４ａに当接され、第１傾斜面部２４が傾斜面部の周面１１５ａに当接されていることに加えて、第２傾斜面部２５を外側から覆う樹脂部３５は破壊されることなく、第２傾斜面部が外側へ変形するのを抑制している。
よって、第２傾斜面部２５自体が樹脂部３５で保持されていることによる脱落防止効果によって、収容カップ２０が中心軸Ｘ方向に脱落することが防止される。
そして、Ｌ２＞Ｌ１の関係を満たせば、さらに第２傾斜面部２５による脱落止効果が高められるので好ましい。
【００５３】
図２で示す点火器組立体１００は、図１の点火器組立体１と同様に図６（ａ）〜（ｅ）で示す投薬工程、ヘッダー仮圧入工程、モールド工程を経て製造することができる。
【００５４】
（３）図３の点火器組立体
図３の点火器組立体２００は、図１の点火器組立体１とはヘッダーの形状が異なっているほかは同じものであり、図１の収容カップ２０と同じものを使用している。
【００５５】
ヘッダー２１０は、上面２１１、下面２１２及び周面２１３からなる円板状のものである。
ヘッダー２１０は、図１のヘッダー１０及び図２のヘッダー１１０の厚さと比べると、厚さが半分程度まで小さくなっている。
【００５６】
収容カップ２０とヘッダー２１０は、互いに溶接されることなく固定されている。
収容カップの底面部２１及び周壁部２２（本体部２３）の一部とヘッダー上面２１１により点火薬充填室３０が形成されており、内部には点火薬（図示せず）が充填されている。点火薬とブリッジワイヤ７は密着状態にある。
収容カップの本体部２３の残部は、ヘッダー２１０の周面２１３に当接されている。
収容カップの第１傾斜面部２４及び第２傾斜面部２５は、ヘッダー２１０には当接されていない。
収容カップ周壁部の本体部２３の内径（Ｄ１）と、環状角部２６の内径（Ｄ２）と、収容カップ開口部の内径（Ｄ３）は、Ｄ２＜Ｄ１＜Ｄ３の関係を満たしている。
第１傾斜面部２４の長さ（Ｌ１）と第２傾斜面部２５の長さ（Ｌ２）は、Ｌ２＞Ｌ１であり、Ｌ２／Ｌ１＝約１．５に調整されている。
【００５７】
点火器本体部は、導電ピン５の一部を除いた部分（収容カップ２０の全体、およびヘッダー２１０の下面２１２）が樹脂部３５で覆われているため、収容カップ２０とヘッダー２１０との当接部分は、外側から樹脂部３５で押圧されて密着された状態になっている。
このため、点火薬充填室３０が気密状態に維持されることから、点火薬が湿気による悪影響を受けることがない。
つまり、収容カップの環状角部２６の内径は、ヘッダー２１０の外径や収容カップ２０の本体部２３内径よりも小さく、さらにヘッダー下面２１２から突出している。
その状態で第１傾斜面部２４、第２傾斜面部２５およびヘッダー下面２１を含む、導電ピン５以外が樹脂部３５で覆われている。
よって、本体部２３と第１傾斜面部２４との境界部が、ヘッダー下面２１２の周縁と強く当接して、点火薬充填室３０の気密が維持される。また収容カップ２０がヘッダー２１０に対して強く固定されている。
【００５８】
作動時、通電によりブリッジワイヤ７が熱を帯び、点火薬が着火される。
点火薬の着火により生じた燃焼生成物により収容カップ部材２０の底面部２１（脆弱部があるときは脆弱部を含む部分）が破壊され、火炎等の燃焼生成物を放出する。このとき、底面部２１とそれに近接した本体部２３も破壊されることもある。
そして、収容カップ部２０には、中心軸Ｘ方向への力が加えられることになる。ヘッダー２１０と収容カップ２０は互いに溶接固定されていないが、図３の点火器組立体２００では、収容カップ２０とヘッダー２１０が密接状態にあり、Ｄ２＜Ｄ１の関係を満たしていることから、上記と同じ機構で収容カップ２０が中心軸Ｘ方向に脱落することが防止されている。
【００５９】
より具体的には、収容カップ２０が中心軸Ｘ方向に移動しようとした場合であっても、環状角部２６が下面２１２に引っかかることに加えて、第２傾斜面部２５を外側から覆う樹脂部３５は破壊されることがなく、第２傾斜面部２５が外側へ変形することを抑制している。よって、第２傾斜面部２５自体が樹脂部３５で保持されていることによる脱落防止効果によって、収容カップ２０が中心軸Ｘ方向に脱落することが防止される。
そして、Ｌ２＞Ｌ１の関係を満たせば、さらにヘッダー１０が収容カップ２０から抜ける力に対して、樹脂部３５によって第２傾斜面部２５の変形を抑制する力のほうが大きくなり、第２傾斜面部２５による脱落防止効果が高められるので好ましい。
【００６０】
図３で示す点火器組立体２００は、図１の点火器組立体１と同様に図６（ａ）〜（ｅ）で示す投薬工程、ヘッダー仮圧入工程、モールド工程を経て製造することができる。
【００６１】
（４）図４の点火器組立体
図４の点火器組立体３００は、図１の点火器組立体１とはヘッダーの形状が異なり、それにあわせて収容カップの形状も異なっているほかは同じものである。但し、図１の収容カップ２０と同じものを使用することができる。
【００６２】
ヘッダー３１０は、上面３１１、下面３１２及び周面３１３からなる略円板状のものである。
周面３１３は、上面３１１側から下面３１２側方向に外径が増加している大径傾斜面部３１４と、下面３１２側に形成された均一径の小径部３１５を有している。
そして、大径傾斜面部３１４と小径部３１５との外径差により形成される環状段差面３１６を有している。
【００６３】
収容カップ２０とヘッダー３１０は、互いに溶接されることなく固定されている。
収容カップの底面部２１及び周壁部２２（本体部２３）の一部とヘッダー上面３１１により点火薬充填室３０が形成されており、内部には点火薬（図示せず）が充填されている。点火薬とブリッジワイヤ７は密着状態にある。
収容カップの本体部２３の残部は、大径傾斜面部３１４の周面３１４ａに当接されている。
収容カップの環状角部２６は、小径部３１５の周面３１５ａに当接されている。
収容カップの第１傾斜面部２４と第２傾斜面部２５は、ヘッダー３１０には当接されていない。
収容カップ周壁部の本体部２３の内径（Ｄ１）と、環状角部２６の内径（Ｄ２）と、収容カップ開口部の内径（Ｄ３）は、Ｄ２＜Ｄ１＜Ｄ３の関係を満たしている。
第１傾斜面部２４の長さ（Ｌ１）と第２傾斜面部２５の長さ（Ｌ２）は、Ｌ２＞Ｌ１であり、Ｌ２／Ｌ１＝約１．５に調整されている。
【００６４】
作動時、通電によりブリッジワイヤ７が熱を帯び、点火薬が着火される。
点火薬の着火により生じた燃焼生成物により収容カップ２０の底面部２１（脆弱部があるときは脆弱部を含む部分）が破壊され、火炎等の燃焼生成物を放出する。このとき、底面部２１とそれに近接した本体部２３も破壊されることもある。
そして、収容カップ２０の底面部２１には、中心軸Ｘ方向への力が加えられることになる。
ヘッダー３１０と収容カップ２０は互いに溶接固定されていないが、図４の点火器組立体３００では、収容カップ２０とヘッダー２１０が密接状態にあり、Ｄ２＜Ｄ１の関係を満たしていることから、また周囲が樹脂部３５で覆われており、第２傾斜面部２５が外側に変形しにくいことから、収容カップ２０が中心軸Ｘ方向に脱落することが防止されている。
【００６５】
より具体的には、収容カップ２０が中心軸Ｘ方向に移動しようとした場合であっても、環状角部２６が環状段差面３１６に引っかかることに加えて、第２傾斜面部２５を外側から覆う樹脂部３５は破壊乃至は溶融されることがなく、第２傾斜面部が外側へ変形するのを抑制している。
よって、第２傾斜面部２５自体が樹脂部３５で保持されていることによる脱落防止効果によって、収容カップ２０が中心軸Ｘ方向に脱落することが防止される。
そして、Ｌ２＞Ｌ１の関係を満たせば、さらにヘッダー１０が収容カップ２０から抜ける力に対して、樹脂部３５によって第２傾斜面部２５の変形を抑制する力のほうが大きくなり、第２傾斜面部２５による脱落防止効果が高められるので好ましい。
【００６６】
図４で示す点火器組立体３００は、図１の点火器組立体１と同様に図６（ａ）〜（ｅ）で示す投薬工程、ヘッダー仮圧入工程、モールド工程を経て製造することができる。
【００６７】
（５）図５の点火器組立体
図５の点火器組立体４００は、図１の点火器組立体１とは収容カップの形状が異なっているほかは同じものであり、ヘッダー１０は図１と同じものを使用している。
【００６８】
ヘッダー１０には、ステンレス製の収容カップ４２０が取り付けられている。
収容カップ４２０は、底面部４２１と周壁部４２２からなるものである。
底面部４２１の厚みは０．２〜０．３５ｍｍの範囲、周壁部４２２の厚みは０．１５〜０．２５ｍｍの範囲で調整されている。
底面部４２１の中央部には、脆弱部となる厚さ０．０５〜０．１１ｍｍ程度の円形薄肉部が形成されている。
【００６９】
周壁部４２２は、内径が均一な外側周壁部４２３と、開口部側が内側に折り曲げられた内側周壁部４２４を有しており、折り返し部４２５を有している。
図５では外側周壁部４２３と内側周壁部４２４の間には隙間が形成されているが、外側周壁部４２３と内側周壁部４２４の一部又は全部が接触された状態であってもよい。また外側周壁部４２３の内径よりも、内側周壁部４２４の内径が小さくなっている。
【００７０】
収容カップ４２０とヘッダー１０は、互いに溶接されることなく固定されている。
収容カップの底面部４２１及び外側周壁部４２３の一部とヘッダー上面１１により点火薬充填室３０が形成されており、内部には点火薬（図示せず）が充填されている。点火薬とブリッジワイヤ７は密着状態にある。
収容カップの外側周壁部４２３の残部は、ヘッダー大径部１４の周面１４ａに当接されている。
収容カップの内側周壁部４２４は、ヘッダー小径部１５の周面１５ａに当接されている。
さらに収容カップの内側周壁部４２４の先端周縁部４２４ａは、環状段差面１６に当接されている。また収容カップ４２０は弾性を有する金属で規制されている。
よって、収容カップ４２０をヘッダー１０に取り付けたときに、内側周壁部４２４を含め、周壁部４２２はヘッダー１０の周面１３を外側から締め付けている。
【００７１】
さらに点火器本体部は、導電ピン５の一部を除いた部分が樹脂部３５で覆われているため、収容カップ４２０とヘッダー１０との当接部分は、外側から押圧されて密着された状態になっている。
このため、点火薬充填室３０が気密状態に維持されることから、点火薬が湿気による悪影響を受けることがない。
【００７２】
次に、図５の点火器組立体の動作を説明する。
作動時、通電によりブリッジワイヤ７が熱を帯び、点火薬が着火される。
点火薬の着火により生じた燃焼生成物により収容カップ４２０の底面部２１（脆弱部があるときは脆弱部を含む部分）が破壊され、火炎等の燃焼生成物を放出する。このとき、底面部４２１とそれに近接した外側周壁部４２３も破壊されることもある。
そして、収容カップ４２０の底目部４２１には、中心軸Ｘ方向への力が加えられることになる。ヘッダー１０と収容カップ４２０は互いに溶接固定されていないが、図５の点火器組立体４００では、収容カップ４２０が中心軸Ｘ方向に移動しようとした場合であっても、先端周縁部４２４ａが環状段差面１６に当接されていることによる脱落防止効果によって、収容カップ４２０が中心軸Ｘ方向に脱落することが防止される。
【００７３】
（６）図７の点火器組立体
図７（ａ）〜（ｃ）の点火器組立体は、点火器の仕様の違い、例えば点火薬の量や種類の違い、部品の違い、寸法の違いなどを目視乃至は手触りによって認識できるようにしたものである。
図１の点火器組立体を使用して説明する。
図７（ａ）の点火器組立体１は、収容カップ底面部２１を覆っている樹脂部３５を１つの円が形成されるように取り除いたものである。
図７（ｂ）は、収容カップ底面部２１を覆っている樹脂部３５を３つの円が形成されるように取り除いたものである。
図７（ｃ）は、収容カップ底面部２１を覆っている樹脂部３５を１つの正方形が形成されるように取り除いたものである。
その他、収容カップ底面部２１を覆っている樹脂部３５を三角形、菱形、長円形などの所望形状及び所望数に取り除くことで、点火器の仕様の違いを目視乃至は手触りによって容易にかつ確実に認識できるようになる。
また樹脂を取り除く方法に代えて、部分的に樹脂を薄くする方法でもよい。
【符号の説明】
【００７４】
１  点火器組立体
５  導電ピン
７  ブリッジワイヤ
１０  ヘッダー
２０  収容カップ
３０  点火薬充填室
３５  樹脂部
【図１】
0005986795.tif 000002
【図２】
0005986795.tif 000003
【図３】
0005986795.tif 000004
【図４】
0005986795.tif 000005
【図５】
0005986795.tif 000006
【図６】
0005986795.tif 000007
【図７】
0005986795.tif 000008